(57)【要約】【課題】会計取引の順番待ちをする顧客のストレスを解消させる。【解決手段】店員１０３は、チェックアウトカウンタ１１０を挟んで顧客１０２と対面して会計取引を行う。この中で店員１０３は、顧客１０２の購入予定の商品１０５を手にとって搬送経路１３６に沿って搬送し、その途中で商品コード入力装置１１１を用いて商品コード１１９を入力して、ＰＯＳ端末１１２を用いて決済を行う。顧客１０２は、会計取引の順番待ちのために、チェックアウトカウンタ１１０の顧客側で搬送経路１３６と平行にその上流側に延びる顧客列１３５に並ぶ。商品コード入力装置１１１よりも搬送経路１３６の上流側には情報表示ディスプレイ１１３が配置されている。顧客列１３５に並ぶ顧客１０２は、情報表示ディスプレイ１１３に表示される宣伝広告等の表示情報を見ることで、顧客列１３５に並んでいる間に手持ち無沙汰になる状況から解放される。【選択図】図１
2009282572.tif 000002
【特許請求の範囲】
【請求項１】
店員側と顧客側との間に形成される商品を搬送するための搬送経路を上方に確保し、前記顧客側に顧客の移動経路を規定するチェックアウトカウンタと、
前記搬送経路の途中に配置され、商品コードを入力する商品コード入力部と、
前記商品コード入力部よりも前記搬送経路の下流側に配置され、前記商品コード入力部から入力された商品コードに基づく決済を行う決済部と、
情報を表示する表示部と、
情報処理を実行する情報処理部と、
前記情報処理部が、表示情報を前記表示部に表示させる手段と、
を備え、
前記表示部は、前記商品コード入力部よりも前記搬送経路の上流側であって、前記移動経路の前記チェックアウトカウンタの上流端よりも更に上流側に当該表示部の表示面を向け、かつ、前記チェックアウトカウンタに対し前記店員側にオフセットして配置されている、
チェックアウトシステム。
【請求項２】
前記表示部は、当該表示部の下面の顧客側端部近傍をポールに支持され、前記搬送経路よりも前記店員側にオフセットした位置に配置される、請求項１記載のチェックアウトシステム。
【請求項３】
前記表示部は、前記チェックアウトカウンタの前記店員側の側部から突出するポールに支持され、前記チェックアウトカウンタよりも前記店員側に位置付けられている、請求項１又は２記載のチェックアウトシステム。
【発明の詳細な説明】
【技術分野】
【０００１】
本発明は、スーパーマーケット等の店舗のレジエリアに導入されているチェックアウトシステムに関する。
【背景技術】
【０００２】
従来、スーパーマーケット等の店舗には、各商品に付されているコードシンボル化された商品コードを読み取るためのコードスキャナと読み取った商品コードに基づく決済を行うためのＰＯＳ端末とを備えたチェックアウトシステムが導入され、店員と顧客との間で行われる会計取引の効率化が図られている（例えば、特許文献１の図５ないし図７、及び、図９）。
【０００３】
【特許文献１】特開平９−１５２９１７号公報
【発明の開示】
【発明が解決しようとする課題】
【０００４】
顧客は、店員との会計取引の順番待ちをするために、コードスキャナからＰＯＳ端末に向かう方向に進む顧客列に並んで待機する。このとき、顧客列に並んでいる顧客は、自分の順番が来るまで手持ち無沙汰となり、あまりに待ち時間が長くなった場合にはストレスが溜まってしまうと考えられる。
【０００５】
本発明の目的は、会計取引の順番待ちをする顧客のストレスを解消させることである。
【課題を解決するための手段】
【０００６】
本発明のチェックアウトシステムは、店員側と顧客側との間に形成される商品を搬送するための搬送経路を上方に確保し、前記顧客側に顧客の移動経路を規定するチェックアウトカウンタと、前記搬送経路の途中に配置され、商品コードを入力する商品コード入力部と、前記商品コード入力部よりも前記搬送経路の下流側に配置され、前記商品コード入力部から入力された商品コードに基づく決済を行う決済部と、情報を表示する表示部と、情報処理を実行する情報処理部と、前記情報処理部が、表示情報を前記表示部に表示させる手段と、を備え、前記表示部は、前記商品コード入力部よりも前記搬送経路の上流側であって、前記移動経路の前記チェックアウトカウンタの上流端よりも更に上流側に当該表示部の表示面を向け、かつ、前記チェックアウトカウンタに対し前記店員側にオフセットして配置されている。
【発明の効果】
【０００７】
本発明によれば、表示部は、会計取引の流れに沿って商品が搬送される搬送経路の上流側に配置され、顧客側で搬送経路と平行に上流側に延びる顧客列に並ぶ顧客に向けて表示情報を表示するため、会計取引の順番待ちをする顧客のストレスを解消させることができる。
【発明を実施するための最良の形態】
【０００８】
本発明の実施の一形態について、図１ないし図６に基づいて説明する。
【０００９】
本実施の形態のチェックアウトシステム１０１は、顧客と顧客の持ち寄った商品とを一方向に流し、この流れの中で商品コード入力部による商品コードの入力と、決済部による決済とを行うように構成されている。そして、商品コード入力部よりも顧客及び商品の流れ方向上流側に位置させて表示部を配置し、順番待ちをしている顧客に表示部の表示を通じて情報を提供することができるようになっている。
【００１０】
図１は、チェックアウトシステム１０１の外観斜視図である。スーパーマーケットのレジエリアには、チェックアウトシステム１０１を構成するチェックアウトカウンタ１１０が二台設置されている。これら二台のチェックアウトカウンタ１１０は、顧客１０２が移動可能な顧客移動経路１０４を二本分確保できるだけの空間を間に挟んで対向配置されている。顧客１０２は、いずれか一方の顧客移動経路１０４に沿って進み、その顧客移動経路１０４に近い方のチェックアウトカウンタ１１０に対面し、対面したチェックアウトカウンタ１１０を挟んで反対側で待機する店員１０３と購入予定の商品１０５についての会計取引を行う。以下、図１に示す手前側のチェックアウトカウンタ１１０を備えて構成されるチェックアウトシステム１０１について説明する。
【００１１】
チェックアウトシステム１０１は、チェックアウトカウンタ１１０と商品コード入力装置１１１とＰＯＳ端末１１２と情報表示ディスプレイ１１３とにより構成されている。商品コード入力装置１１１及び情報表示ディスプレイ１１３は、接続コード１２１によって、ＰＯＳ端末１１２とデータ通信自在に接続している。店員１０３は、チェックアウトカウンタ１１０に対して図１の手前側の待機位置１０３ａに立っている。この店員１０３は、顧客移動経路１０４を図１の右側から左側に向けて移動し店員１０３と対面して立つ顧客１０２と会計取引を行う。会計取引の中で、店員１０３は、顧客１０２が持ち寄った買物カゴ１０６をカゴ載置領域１３４（図６も参照）に位置付け、その中に収納されている購入予定の商品１０５に付されている商品コード１１９を商品コード入力装置１１１を用いてＰＯＳ端末１１２に入力し、入力済みの商品コード１１９に基づく決済をＰＯＳ端末１１２を操作して行うという一連の作業を行う。このとき、店員１０３は、チェックアウトカウンタ１１０の上面で商品１０５を一方向（図１の右から左に向かう方向）に搬送する。すなわち、チェックアウトカウンタ１１０は、商品１０５の搬送経路１３６を確保している。
【００１２】
チェックアウトカウンタ１１０は、顧客移動経路１０４と平行に細長い長尺のテーブルである。このチェックアウトカウンタ１１０は、長辺を顧客移動経路１０４と平行となる向きに向けて、顧客側をなす顧客移動経路１０４と店員側をなす店員１０３の待機位置１０３ａとの間に設置される。チェックアウトカウンタ１１０の上部には、買物カゴ１０６を載置可能な天板１１４が取り付けられている。また、このチェックアウトカウンタ１１０は、顧客１０２が会計取引の順番待ちをするために並ぶ顧客列１３５の延びる方向を規定している。
【００１３】
商品コード入力装置１１１は、天板１１４の上面で店員側から見た幅方向の略中央に立設されている。商品コード入力装置１１１は、コードスキャナ１１５と、キーボード１１６と、読取作業用ディスプレイ１１７と、顧客用ディスプレイ１１８とが一体化されて構成されている。コードスキャナ１１５は、読取窓を通じて、商品１０５に付されたコードシンボル化された商品コード１１９を読み取る。読取作業用ディスプレイ１１７は、表示面を店員側に向けてコードスキャナ１１５の上方に取り付けられている。顧客用ディスプレイ１１８は、読取作業用ディスプレイ１１７の背面で顧客側に向けて配置されている。この商品コード入力装置１１１は、天板１１４の上面で顧客側寄りの部分に立設している。そこで、店員１０３は、この商品コード入力装置１１１と正対して立ち、コードスキャナ１１５の読取窓に商品コード１１９をかざしてその商品コード１１９をコードスキャナ１１５に読み取らせることができる。なお、商品コード入力装置１１１とこの商品コード入力装置１１１に正対して立つ店員１０３との間の天板１１４の上方には、買物カゴ１０６を店員側から見て右側から左側にスライド移動させることができるだけの空間領域が確保されている。
【００１４】
商品コード入力装置１１１に正対して立つ店員１０３の左方にはＰＯＳ端末設置台１２２が設置されている。ＰＯＳ端末１１２は、キーボード１２５と決済作業用ディスプレイ１２６とレシート用紙排出口１２７とを上面に備えて構成されている。
【００１５】
情報表示ディスプレイ１１３は、商品コード入力装置１１１に正対して立つ店員１０３から見て右側で、天板１１４の上方に配置されている。この情報表示ディスプレイ１１３は、その下面をポール１３０に支持されており、ポール１３０の内部を通過する接続コード１２１を介してＰＯＳ端末１１２と接続している。そして、情報表示ディスプレイ１１３は、ＰＯＳ端末１１２に備わるマイクロコンピュータ１２８（図２参照）の制御を受けて各種の情報を表示する。すなわち、情報表示ディスプレイ１１３は、情報を表示する表示部として機能する。なお、情報表示ディスプレイ１１３としては、一例として、液晶のディスプレイ装置を採用することができる。
【００１６】
情報表示ディスプレイ１１３を支持するポール１３０は、店員側から見て右側の天板１１４の上流端１３１及び天板１１４の店員側縁１３２に挟まれる角１３３の近傍で天板１１４から鉛直に突出している。また、情報表示ディスプレイ１１３は、図１及び図６に示すように、表示が行われる表示面を、顧客移動経路１０４に沿って並ぶ顧客列１３５に対して、チェックアウトカウンタ１１０の上流端１３１よりも更に上流側に向けて設置されている。このため、顧客列１３５の後方に並んでいる顧客１０２は、情報表示ディスプレイ１１３の表示面に表示されている表示情報を見ることができる。さらに、情報表示ディスプレイ１１３は、図１に示すように、下面の略中央ではなく下面の顧客側端部近傍でポール１３０に支持され、搬送経路１３６よりも店員側にオフセットした位置に配置され、天板１１４の上には、中央から顧客側に渡って空間が確保される。このため、顧客１０２は、店員側から見た天板１１４の右端の上流端１３１であって顧客側寄りの部分１３１ａ（図６参照）から買物カゴ１０６を進入させやすい（矢印Ａ）。
【００１７】
また、情報表示ディスプレイ１１３は、ポール１３０による支持箇所を中心に所定の角度範囲で旋回できるようになっている。このため、情報表示ディスプレイ１１３を旋回させてその表示面をチェックアウトカウンタ１１０の上流端１３１よりも更に上流側に向けても、情報表示ディスプレイ１１３の顧客側の部分が、チェックアウトカウンタ１１０の天板１１４の上方で顧客側に確保された買物カゴ１０６を進入させるための空間に干渉することがない。
【００１８】
図２は、チェックアウトシステム１０１の電気的構成を示すブロック図である。まず、ＰＯＳ端末１１２の電気的構成について説明する。ＰＯＳ端末１１２の内部には、ＣＰＵ１５１とＲＯＭ１５２とＲＡＭ１５３とを備えた情報処理部としてのマイクロコンピュータ１２８が格納されている。このマイクロコンピュータ１２８は、チェックアウトシステム１０１全体の情報処理を司る。マイクロコンピュータ１２８と接続するハードディスク１５５には、商品コードに対応付けて商品名や商品単価等の商品情報を格納している商品データファイルＦ１や、売上情報が格納される売上データファイルＦ２をはじめとする各種データファイルが格納されている。また、ハードディスク１５５には、ＯＳ、ドライバ、各種のアプリケーションプログラムを含む各種のプログラムも記憶されている。さらに、ハードディスク１５５には、情報表示ディスプレイ１１３に表示される表示情報を構成する表示データファイルＦ３も記憶されている。この表示データファイルＦ３については、図３ないし図５に基づいて後述する。
【００１９】
また、マイクロコンピュータ１２８は、キーボード１２５、決済作業用ディスプレイ１２６、及び、印刷部としてのレシートプリンタ１５６を駆動制御する。さらに、マイクロコンピュータ１２８は、外部機器インタフェイス１５７を介して商品コード入力装置１１１、情報表示ディスプレイ１１３などの各種の外部機器とのデータ通信を行う。
【００２０】
ここで、商品コード入力装置１１１の電気的構成について説明する。商品コード入力装置１１１は、情報処理を実行するマイクロコンピュータ１６０を備える。このマイクロコンピュータ１６０は、この商品コード入力装置１１１に備わるコードスキャナ１１５、キーボード１１６、読取作業用ディスプレイ１１７、顧客用ディスプレイ１１８、外部機器インタフェイス１６１を駆動制御する。これらを制御することによって、マイクロコンピュータ１６０は、コードスキャナ１１５で読み取られてデコードされた商品コードやキーボード１１６から入力された商品コードをＰＯＳ端末１１２に送信出力する。
【００２１】
ＰＯＳ端末１１２の電気的構成の説明に戻る。マイクロコンピュータ１２８は、商品データファイルＦ１を参照して商品コード入力装置１１１から入力された商品コードに対応する商品情報を取得する商品情報記憶処理を実行する。また、マイクロコンピュータ１２８は、キーボード１２５から締め命令の入力を判定した場合、商品コード１１９の入力を完了したと判断して商品情報に基づいて顧客１０２の支払金額を算出する支払金額算出処理を実行する。また、マイクロコンピュータ１２８は、顧客１０２から店員が預かった預り金額及び決済宣言のキーボード１２５からの入力を判定した場合に入力済みの商品コード１１９や支払金額等を含む売上情報を売上データファイルＦ２に記憶保存する記憶保存処理を実行する。他にも、マイクロコンピュータ１２８は、レシートプリンタ１５６を駆動制御してレシート用紙排出口１２７からレシート（図示せず）を印刷発行するレシート発行処理を実行する。
【００２２】
図３ないし図５は、情報表示ディスプレイ１１３に表示される表示情報の一例を示す模式図である。ＰＯＳ端末１１２に備わるハードディスク１５５には、情報表示ディスプレイ１１３に表示される表示情報を構成する表示データが格納されている。この表示データは、テキストデータ、画像データ、動画データの集合体であり、情報表示ディスプレイ１１３に表示された場合に図３ないし図５に示す店名ロゴ２０１、メッセージ２０２〜２０４となって表れるものである。マイクロコンピュータ１２８は、表示データファイルＦ３に格納されている表示データを図３ないし図５に示す表示情報を構成するように組合せて情報表示ディスプレイ１１３に表示させる表示処理を実行する。
【００２３】
なお、情報表示ディスプレイ１１３に表示される表示情報を構成する各種のデータは、ハードディスク１５５に格納される以外にも、チェックアウトシステム１０１に接続されているＬＡＮネットワーク（図示せず）を介して接続されているスーパーマーケットのバックヤードに設置されたストアコントローラ（図示せず）に格納されていてもよい。この場合、ストアコントローラは、定期的に又はＰＯＳ端末１１２から送信出力されるデータ送信要求信号の受信に応じて、表示情報を構成する各種のデータをＰＯＳ端末１１２に向けて配信する。配信された各種のデータを受信すると、ＰＯＳ端末１１２のマイクロコンピュータ１２８は、この受信したデータを組合わせて情報表示ディスプレイ１１３に表示する処理を行う。
【００２４】
さらに、情報表示ディスプレイ１１３に表示される表示情報を構成する各種のデータは、ＬＡＮネットワークを介してＰＯＳ端末１１２が通信可能となっているインターネット網（図示せず）上のデータ配信サーバ（図示せず）に格納されていてもよい。この場合も、ストアコントローラと同様に、データ配信サーバが、定期的に又はＰＯＳ端末１１２から送信出力されるデータ送信要求信号の受信に応じて、表示情報を構成する各種のデータをＰＯＳ端末１１２に向けて配信する。
【００２５】
情報表示ディスプレイ１１３に表示される表示情報の一例は、図３に示す、スーパーマーケットで販売される商品１０５に関する宣伝広告である。図３に示す例では、情報表示ディスプレイ１１３の右上には、店名を示す店名ロゴ２０１が表示されるとともに、この情報表示ディスプレイ１１３の全体に、「毎週水曜日は  おさかなデー  お刺身  干物  など  魚介類すべて３割引  −ぜひご利用ください！−」という宣伝内容を示すメッセージ２０２が表示される。この宣伝広告は、ＰＯＳ端末１１２に備わるマイクロコンピュータ１２８が、商品情報記憶処理や決済処理と連動させることなく情報表示ディスプレイ１１３に表示させるものである。
【００２６】
情報表示ディスプレイ１１３に表示される表示情報の別の一例は、図４に示す、タイムサービス割引を実施中であることを示す表示である。図４に示す例では、右上の店名ロゴ２０１に加え、情報表示ディスプレイ１１３の中央に、「タイムサービス実施中  閉店まで  さらに  １割引」というメッセージ２０３が表示されている。この表示は、ＰＯＳ端末１１２に備わるマイクロコンピュータ１２８が、現在時刻情報を参照して、現在時刻が予め定められたタイムサービスの開始時刻以降であると判定した場合、情報表示ディスプレイ１１３に表示させるものである。
【００２７】
情報表示ディスプレイ１１３に表示される表示情報の別の一例は、図５に示す、ＰＯＳ端末１１２が使用不能になっていることを示す表示である。図５に示す例では、右上の店名ロゴ２０１に加え、情報表示ディスプレイ１１３の中央に、「調整中  他のレジをご利用ください」というメッセージ２０４が表示されている。この表示は、ＰＯＳ端末１１２に備わるマイクロコンピュータ１２８が、レシートプリンタ１５６から出力されるレシート用紙切れ信号や、商品コード入力装置１１１から出力される何らかのエラー信号の入力を判定した場合に、情報表示ディスプレイ１１３に表示させるものである。また、ドロワ１２３の代わりに自動釣銭機をＰＯＳ端末１１２に接続した場合に、自動釣銭機が出力する釣銭切れ信号の入力を判定した場合にも、このような表示が行われる。
【００２８】
なお、情報表示ディスプレイ１１３に表示される表示情報は、図３ないし図５に示したものに限られない。また、情報表示ディスプレイ１１３に表示される表示情報は、会計取引の順番待ちをしている顧客１０２を飽きさせないような内容のものであることが望ましい。
【００２９】
図６は、会計取引の順番待ちをする顧客１０２が並ぶ様子を示す平面図である。以上のような構成のチェックアウトシステム１０１が導入されたスーパーマーケットにおいて、顧客１０２は、購入予定の商品１０５を買物カゴ１０６に投入してレジエリアに赴く。ここで、店員１０３と会計取引を行っている先頭客１０２ａと、それに続いて並んで会計取引の順番待ちをしている待機客１０２ｂ〜１０２ｄとによって、チェックアウトカウンタ１１０の近傍で顧客移動経路１０４に沿ってＰＯＳ端末１１２に向かう方向に顧客列１３５が形成されている場合、レジエリアに赴いた顧客１０２は、この顧客列１３５の最後端に並ぶ。以降、顧客列１３５の最後端に並んだ新たな顧客１０２を、顧客列１３５に並ぶ待機客１０２ｅと称する。
【００３０】
チェックアウトカウンタ１１０の前で待機している店員１０３は、顧客１０２が持ち寄った購入予定の商品１０５を収納した買物カゴ１０６をカゴ載置領域１３４に位置付け、その買物カゴ１０６から商品１０５を取り出し、その商品１０５に付されている商品コード１１９をコードスキャナ１１５を用いてＰＯＳ端末１１２に入力する。なお、商品コード１１９の入力は、キーボード１１６から行うことも可能である。買物カゴ１０６内のすべての商品１０５について商品コード１１９の入力を行った後、店員１０３は、ＰＯＳ端末１１２に対面して、キーボード１２５から操作入力を行い、入力した商品コード１１９に基づく決済作業を行う。ここで、本実施の形態のチェックアウトシステム１０１では、ＰＯＳ端末１１２（図１参照）で行われる決済処理、及び、情報表示ディスプレイ１１３で表示情報を表示する表示処理のいずれも、ＰＯＳ端末１１２に備わる情報処理部としてのマイクロコンピュータ１２８が行う。
【００３１】
待機客１０２ｂ〜１０２ｅは、店員１０３が行うこのような会計取引を行う順番が来るまで顧客列１３５から外れずに並んでいなければならない。このとき、顧客列１３５の後方に位置する待機客１０２ｃ〜１０２ｅは、商品コード入力装置１１１よりも搬送経路１３６の上流側に配置された情報表示ディスプレイ１１３に表示されている表示情報を見ることができる。そのため、本実施の形態のチェックアウトシステム１０１では、会計取引を待つ顧客１０２は、その場所で行う行動として、情報表示ディスプレイ１１３に表示される各種の表示情報を取得でき、会計取引を待機して並ぶ以外何もできなかったという顧客１０２のストレスは軽減される。一例として、情報表示ディスプレイ１１３にメッセージ２０２を含む宣伝広告が表示されている場合（図３参照）、待機客１０２ｃ〜１０２ｅは、会計取引の順番待ちをしながら、スーパーマーケットにおける各種の宣伝広告の内容を知ることができる。また、顧客１０２は、顧客列１３５に並ぶ前の段階でも、情報表示ディスプレイ１１３に表示されている図５ないし図５に示すような各種の表示情報を見て、その情報表示ディスプレイ１１３と対応するＰＯＳ端末１１２が使用されているかどうかを知ったり（図５参照）、スーパーマーケットでタイムサービス割引が行われていることを知ったり（図４参照）することができる。
【００３２】
会計取引の順番待ちをしている待機客１０２ｂ〜１０２ｅは、先頭客１０２ａが行っている会計取引の取引状況に応じて、顧客移動経路１０４の前方に進み、チェックアウトカウンタ１１０の天板１１４に買物カゴ１０６を載置できるだけの領域が空いたことを見計らって、買物カゴ１０６を天板１１４に載置する。買物カゴ１０６を載置しようとする待機客１０２ｂ〜１０２ｅは、天板１１４の上流端１３１の顧客側寄りの部分１３１ａまで買物カゴ１０６を持ち上げ、顧客側寄りの部分１３１ａから天板１１４の内側に向けてスライドさせる。続いて、店員１０３は、上流端１３１から導入された買物カゴ１０６を掴んで、天板１１４によって形成された商品１０５の搬送経路１３６に沿ってスライド搬送させ、商品コード入力装置１１１の右隣のカゴ載置領域１３４に位置付ける。ここで、図１及び図６に示すように、情報表示ディスプレイ１１３は搬送経路１３６に対して店員側にオフセットし、さらには天板１１４から外側に向かう方向にはみ出している。そのため、チェックアウトカウンタ１１０の上方で情報表示ディスプレイ１１３よりも顧客側には、買物カゴ１０６をスライド移動させるためのカゴ通過空間１３７が確保されており、顧客１０２や店員１０３は、買物カゴ１０６を、情報表示ディスプレイ１１３にぶつけることなく、上流端１３１の顧客側寄りの部分１３１ａから導入し天板１１４の上面をスライド移動させてカゴ載置領域１３４に位置付けることができる。
【００３３】
なお、別の実施の形態として、図７に示すように、情報表示ディスプレイ１１３を支持するポール１３０をチェックアウトカウンタ１１０の店員側の側部から外側へ斜め上方に向けて取り付け、情報表示ディスプレイ１１３の全体が天板１１４から店員側に完全にはみ出るように設置されていてもよい。この場合、顧客１０２は、図７の矢印Ｂに示すように、チェックアウトカウンタ１１０の天板１１４の上流端１３１のどの部分からも買物カゴ１０６を導入することができる。
【００３４】
また、これまでに述べた実施の形態では、ＰＯＳ端末１１２に備わる情報処理部としてのマイクロコンピュータ１２８が決済処理と表示処理との両方を実行しているが、別の実施の形態として、ＰＯＳ端末１１２のマイクロコンピュータ１２８は表示処理を行わず、情報表示ディスプレイ１１３の制御を行う別の画像再生装置を用意し、この画像再生装置によって表示処理を実現してもよい。この場合、表示情報を構成する各種のデータは、この画像再生装置に備わる記憶部としてのハードディスクやフラッシュメモリに記憶されていても良いし、ＬＡＮネットワーク（図示せず）やインターネット網（図示せず）を介して画像再生装置をストアコントローラ（図示せず）やインターネット上のデータ配信サーバ（図示せず）とデータ通信自在に接続した状態にしてこれらのストレージから表示情報を構成する各種のデータを取得するようにしても良い。
【図面の簡単な説明】
【００３５】
【図１】チェックアウトシステムの外観斜視図である。
【図２】チェックアウトシステムの電気的構成を示すブロック図である。
【図３】情報表示ディスプレイに表示される情報の一例を示す模式図である。
【図４】情報表示ディスプレイに表示される情報の一例を示す模式図である。
【図５】情報表示ディスプレイに表示される情報の一例を示す模式図である。
【図６】会計取引の順番待ちをする顧客が並ぶ様子を示す平面図である。
【図７】別の実施の形態における、チェックアウトシステムの外観斜視図である。
【符号の説明】
【００３６】
１０３ａ…店員の待機位置（店員側）、１０４…顧客移動経路（顧客側）、１０５…商品、１０６…買物カゴ、１１０…チェックアウトカウンタ、１１２…ＰＯＳ端末（決済部）、１１３…情報表示ディスプレイ（表示部）、１１５…コードスキャナ（商品コード入力部）、１１６…キーボード（商品コード入力部）、１１９…商品コード、１２８…マイクロコンピュータ（情報処理部）、１３０…ポール、１３５…顧客列、１３６…搬送経路
【図１】
2009282572.tif 000003
【図２】
2009282572.tif 000004
【図３】
2009282572.tif 000005
【図４】
2009282572.tif 000006
【図５】
2009282572.tif 000007
【図６】
2009282572.tif 000008
【図７】
2009282572.tif 000009